(57)【特許請求の範囲】
【請求項１】
射出成形された熱可塑性エラストマーから成る表皮１を有するパット部25を備え、該パット部25の表皮１が表側に突出した複数の突隆部２…を有し、
隣り合う該突隆部２，２の間の溝底３に弯曲変形助長部４が形成され、
さらに、該弯曲変形助長部４が、表側に凸状の小弯曲部をもって構成され、上記表皮１が表側に凸状に弯曲変形自在であることを特徴とするレッグガード。
【請求項２】
射出成形された熱可塑性エラストマーから成る表皮１を有するパット部25を備え、該パット部25の表皮１が表側に突出した複数の突隆部２…を有し、
隣り合う該突隆部２，２の間の溝底３に弯曲変形助長部４が形成され、
該弯曲変形助長部４が、表側に凸状の小弯曲部をもって構成され、上記表皮１が表側に凸状に弯曲変形自在であり、
さらに、小弯曲部の両側に、上記パット部25の裏生地10に縫製する２条のミシン糸９，９が配設されていることを特徴とするレッグガード。
【請求項３】
射出成形された熱可塑性エラストマーから成る表皮１を有するパット部25を備え、該パット部25の表皮１が表側に突出した複数の突隆部２…を有し、バックル雌部材30が、上記パット部25の輪郭線Ｌよりも内方側に配設されるように上記表皮１に取り付けられると共に上記突隆部２に被覆され、さらに、上記バックル雌部材30と離脱自在に係止する係止爪部40を有するバックル雄部材31を備え、
上記係止爪部40の係止した係止状態で、上記係止爪部40が上記突隆部２に被覆され、かつ、上記バックル雄部材31が上記輪郭線Ｌよりも内方側に位置するように構成されていることを特徴とするレッグガード。
【請求項４】
バックル雌部材30が、表皮１に揺動自在に枢結されている請求項３記載のレッグガード。
【請求項５】
バックル雄部材31が、上壁部60と左右側壁部61，61とを少なくとも有して先端側へ開口した形状の係止脚部38を備え、該係止脚部38の内部に、バックル雌部材30と離脱自在に係止する係止爪部40を、隠している請求項３又は４記載のレッグガード。
【請求項６】
表皮１の裏面側を、予め、脚に対応した凹曲面状として、成形された請求項１，２，３，４又は５記載のレッグガード。
【請求項７】
表皮１の突隆部２の表面壁部14を、弯曲面状、又は、凹凸模様面、若しくは、勾配面として、成形された請求項１、２、３、４、５又は６記載のレッグガード。
【請求項８】
表皮１の表面を、予め、革皺模様として、成形された請求項１、２、３、４、５、６又は７記載のレッグガード。
【発明の詳細な説明】
【０００１】
【発明の属する技術分野】
本発明は、レッグガードに関する。
【０００２】
【従来の技術】
一般に、レッグガードは、脚の甲を保護する足甲部と、脛を保護する脛部と、膝を保護する膝部と、膝の上部を保護する補助膝部と、を有し、足甲部と脛部と膝部と補助膝部は、夫々、（硬質樹脂の）保護板部とパット部とからなっている。
【０００３】
また、レッグガードは、複数本のベルトを有し、それらのベルトを脚に巻き付けることでレッグガードを脚に装着し、各ベルトの端部には、バックル雄部材が取り付けられ、レッグガード本体側には、バックル雌部材が取り付けられている。
【０００４】
そして、従来のパット部は、（ＰＥ、ＰＵ等の）板状発泡体を、（合成皮革、人工皮革、ナイロン、ポリエステル等から成る）表生地及び裏生地とで、サンドウィッチ状に挟んで縫製することにより、製作されていた。
【０００５】
また、従来、バックル雌部材は、帯状取付部材を介して、レッグガード本体に取り付けられ、バックル雌部材は、パット部（レッグガード本体）の輪郭線よりも外方側に配設されていた。
【０００６】
【発明が解決しようとする課題】
しかしながら、従来のパット部では、表面に形成される形状、模様の凹凸に限界があり、表面に希望する複雑な形状、模様が形成できなかった。また、スピードボール、ファウルチップ等の衝撃に対して、発泡体の厚み等における衝撃吸収に限界があった。さらに、（タッチプレー等の）スライディングをブロックしたときにスパイクが引っ掛かる場合や、地面との摩擦により、表生地及び発泡体などを破損する虞れがあった。
【０００７】
また、従来のレッグガードでは、レッグガードを脚に装着したときに、バックル雌部材がパット部（レッグガード本体）の輪郭線よりも外方側に配設されるため、バックル雌部材がぶらぶらとして脚に当たって脚に違和感を生じると共に、バックル雌部材にボール又は滑り込んでくる走者のスパイク等が当たってバックル雌部材が破損する虞れがあった。また、バックル雌部材に係止したバックル雄部材は、その係止爪部を破損する虞れがあった。さらに、帯状取付部材は、レッグガード本体に固定状に取り付けられているため、ベルトを脚に巻き付けたときに、帯状取付部材等に無理な曲げ力が働いてちぎれ等の破損が生じていた。
【０００８】
そこで、本発明は、表面に所望の形状・模様を形成でき、衝撃吸収性が向上し、表面の破損を防止するパット部を有すると共に、バックル雌部材及びバックル雄部材の破損を確実に防止するレッグガードを提供することを目的とする。
【０００９】
【課題を解決するための手段】
上述の目的を達成するために、本発明に係るレッグガードは、射出成形された熱可塑性エラストマーから成る表皮を有するパット部を備え、該パット部の表皮が表側に突出した複数の突隆部を有し、隣り合う該突隆部の間の溝底に弯曲変形助長部が形成され、さらに、該弯曲変形助長部が、表側に凸状の小弯曲部をもって構成され、上記表皮が表側に凸状に弯曲変形自在である。
【００１０】
また、射出成形された熱可塑性エラストマーから成る表皮を有するパット部を備え、該パット部の表皮が表側に突出した複数の突隆部を有し、隣り合う該突隆部の間の溝底に弯曲変形助長部が形成され、該弯曲変形助長部が、表側に凸状の小弯曲部をもって構成され、上記表皮が表側に凸状に弯曲変形自在であり、さらに、小弯曲部の両側に、上記パット部の裏生地に縫製する２条のミシン糸が配設されているものである。
【００１１】
また、射出成形された熱可塑性エラストマーから成る表皮を有するパット部を備え、該パット部の表皮が表側に突出した複数の突隆部を有し、バックル雌部材が、上記パット部の輪郭線よりも内方側に配設されるように上記表皮に取り付けられると共に上記突隆部に被覆され、さらに、上記バックル雌部材と離脱自在に係止する係止爪部を有するバックル雄部材を備え、上記係止爪部の係止した係止状態で、上記係止爪部が上記突隆部に被覆され、かつ、上記バックル雄部材が上記輪郭線よりも内方側に位置するように構成されているものである。
また、バックル雌部材が、表皮に揺動自在に枢結されている。また、バックル雄部材が、上壁部と左右側壁部とを少なくとも有して先端側へ開口した形状の係止脚部を備え、該係止脚部の内部に、バックル雌部材と離脱自在に係止する係止爪部を、隠している。
【００１２】
また、表皮の裏面側を、予め、脚に対応した凹曲面状として、成形されている。
【００１３】
また、表皮の突隆部の表面壁部を、弯曲面状、又は、凹凸模様面、若しくは、勾配面として、成形されている。また、表皮の表面を、予め、革皺模様として、成形されている。
【００１４】
【発明の実施の形態】
以下、実施の形態を示す図面に基づき、本発明を詳説する。
【００１５】
図１に、本発明に係るレッグガードの実施の一形態を示し、本レッグガードは、脚の甲を保護する足甲部20と、脛を保護する脛部21と、膝を保護する膝部22と、膝の上部を保護する補助膝部23と、を有し、足甲部20と脛部21と膝部22と補助膝部23は、夫々、保護板部24とパット部25とからなっている。
【００１６】
なお、本レッグガードは、野球、ソフトボールなどのスポーツの、審判用、選手用に使用され、脚の前面側に被覆状に装着して使用される。具体的に述べると、本レッグガードは、長手方向の一側辺側に、複数の、一端部にバックル雄部材31及び他端部にベルト取付部材29が付設されたベルト32…を有し、長手方向の他側辺側に、複数のバックル雌部材30…を有し、ベルト32…を脚に巻き付けて、バックル雄部材31をバックル雌部材30に（離脱自在に）係止することで、装着される。なお、バックル雌部材30及びバックル雄部材31及びベルト取付部材29は、ポリアセタール等の樹脂からなる。
【００１７】
図１と図２に示すように、パット部25は、表皮１と、裏生地10と、表皮１と裏生地10との間にサンドウィッチ状に挟まれた（ＰＥ、ＰＵ等の）板状発泡体11と、からなり、表皮１と発泡体11と裏生地10とがミシン糸９及び縁巻部26にて一体状に縫製されている。なお、以下、脛部21のパット部25について説明する。
【００１８】
表皮１は、射出成形された熱可塑性エラストマー（ＴＰＥ）から成り、ＴＰＥとしては、例えば、ポリウレタン系、ポリエステル系、ポリエチレン系、ポリスチレン系などがある。また、表皮１は、例えば、ショアーＤ25〜55の軟質ＴＰＥからなり、ショアーＤ65〜95の硬質樹脂からなる保護板部24よりも、硬度が小さくなる。
【００１９】
表皮１は、裏面壁部33と、裏面壁部33に貫設されて表側に突出した複数の突隆部２…と、を有し、突隆部２は、周壁部（側壁部）13と表面壁部14とを有し、裏面側に内部空間15を有する。なお、表側とは、脚と反対側をいう。
【００２０】
隣り合う突隆部２，２の間の溝底３は、隣り合う突隆部２，２の裏面側開口端縁（即ち、周壁部13，13の端縁）を連設している。溝底３の形状は、溝部の断面が矩形に形成された平坦面状であったり、若しくは、溝部の断面が三角形に形成された頂点に相当する線状であってもよい。
【００２１】
溝底３には、表皮１と発泡体11と裏生地10とを一体状に縫製するミシン糸９が配設されており、表皮１が、溝底３（ミシン糸９）近傍廻りに、容易に弯曲変形自在となり、本レッグガード装着時における脚へのフィット感が良好となり、かつ、脚の側面を確実に覆うことができる。
【００２２】
なお、表皮１の突隆部２の形状は、図３に示すように、突隆部２の内部空間15でかつ表面壁部14の裏面に、発泡体11と当接する複数のリブ部16…を設けて、衝撃に強くなるようにしてもよい。このとき、図２に示すように、突隆部２の内部空間15が空気層だけの場合では、突隆部２のクッション性が柔らかくなるのに対して、図３に示す場合では、突隆部２の内部空間15のリブ部16により、突隆部２のクッション性が固くなる。
【００２３】
さらに、図示省略するが、突隆部２の内部空間15に（ＰＥ、ＰＵ、ＥＶＡ等の）発泡ブロック体を介装させて、耐衝撃性の自由度（弾発力と強度の設計の自由度）を増加させてもよく、また、突隆部２の表面壁部14の肉厚を、耐衝撃性を高めるために、増大させてもよい。
【００２４】
次に、図４に、表皮１の裏面側を、予め、脚に対応した凹曲面状として、射出成形用金型にて成形した場合を示し、即ち、パット部25は、脚（ふくらはぎ）及び保護板部24に対応したアール状の形状となる。なお、パット部25は、保護板部24に、（カシメ用）ピン27…（又は縫製）にて一体状に固定されている。
【００２５】
次に、図５に、パット部25の他の実施の形態を示し、図４と比較すると明らかな如く次の構成が相違する。即ち、図５では、表皮１の、保護板部24にて表面側が覆われている部分が、省略されており、具体的に述べると、表皮１が、保護板部24の左右側で２分割となるように構成され、若しくは、表皮１の、保護板部24に覆われている部分に、孔部を設けるように構成されている。要するに、パット部25は、少なくとも保護板部24から露出している部分に、射出成形されたＴＰＥから成る表皮１を有している。
【００２６】
次に、図６と図７（イ）に、パット部25の別の実施の形態を示し、（表皮１の左右側縁部における）隣り合う突隆部２，２の間の溝底３に、上下方向に走る弯曲変形助長部４が形成されている。
【００２７】
弯曲変形助長部４は、表側に凸状の小弯曲部（表突出小弯曲部４ａ）をもって構成され、弯曲変形助長部４（表突出小弯曲部４ａ）の両側に、弯曲変形助長部４に干渉しないように、裏生地10に縫製する２条のミシン糸９，９が配設されている。
【００２８】
表突出小弯曲部４ａは、図７（ロ）に示すように、表突出小弯曲部４ａが縮径する方向への表皮１の弯曲を容易とするように構成され、即ち、溝部が拡大する方向に、表皮１が表側に凸状に弯曲変形（弾性変形）自在となる。言い換えると、図７（ロ）とは逆方向に溝部が縮小する方向に変形しようとすると、表突出小弯曲部４ａが周壁部13，13と干渉して、変形しにくい。
【００２９】
そして、本レッグガードの脚への装着状態では、図７（ロ）に示すように、パット部25の左右側縁部が、脚（ふくらはぎ）の弯曲形状に対応して、表側に凸状に、容易に弯曲変形し、ふくらはぎの側面を確実に覆うことができる。具体的に述べると、ふくらはぎが太い人は、表皮１の（予め形成された）アール形状にてふくらはぎを覆い、ふくらはぎが細い人は、表皮１のアール形状にてふくらはぎを覆うと共に、パット部25の左右側縁部の弯曲変形にてふくらはぎを覆い囲むことができる。従って、タッチプレーのブロック等におけるスパイクからの脚（ふくらはぎ）への衝撃を緩和し、フィット感を増し、怪我を防ぐことができる。
【００３０】
なお、弯曲変形助長部４の形状は、断面三角山形状の小突部であってもよく、また、複数の小弯曲部が波形に連設された形状であってもよく、表皮１を曲がりやすくする形状であれば如何なる形状でもよい。
【００３１】
また、表皮１は、図１と図８に示すように、分割構造とされ、パット部25の大部分を占める基板表皮34と、基板表皮34に後から（縫製にて）取り付けられる後付表皮35と、から成る。
【００３２】
ベルト32の端部には、バックル雄部材31が取り付けられ、パット部25側には、バックル雄部材31と離脱自在に係止するバックル雌部材30が取り付けられている。
【００３３】
バックル雌部材30は、パット部25の輪郭線Ｌよりも内方側に配設されるように表皮１に取り付けられ、かつ、突隆部２に被覆されている。
【００３４】
具体的に述べると、バックル雌部材30は、基板表皮34の裏面壁部33に、（カシメピン等の）軸部材36にて、軸部材36の軸心36ａ廻りに揺動自在となるように枢結されている。また、バックル雌部材30は、後付表皮35の突隆部２に被覆されている。
【００３５】
従って、図９に示すように、バックル雌部材30は、パット部25の輪郭線Ｌよりも内方側に配設され、突隆部２に覆われながら軸心36ａ廻りに揺動自在となるため、本レッグガードを脚に装着したときに、バックル雌部材30が脚に当接することがなく違和感なく使用できると共に、バックル雌部材30へのボール又は滑り込んでくる走者のスパイク等の接触を防止してバックル雌部材30の破損を防止することができる。さらに、パット部25側でバックル雌部材30の向きが自由に変わるため、脚へ巻き付けているベルト32の違和感がなく、また、バックル雌部材30等の部品に無理な曲げ力が働かず破損し難くなる。
【００３６】
さらに、バックル雄部材31の係止爪部40（図10参照）をバックル雌部材30に係止した係止状態で、バックル雄部材31が上記輪郭線Ｌよりも内方側に位置すると共に、バックル雄部材31の係止爪部40がバックル雌部材30と共に突隆部２に覆われており、バックル雄部材31（特に、係止爪部40）の破損を防止することができる。また、バックル雄部材31はバックル雌部材30と共に向きを変えることができ、バックル雄部材31に無理な曲げ力が働かず破損し難くなる。
【００３７】
次に、図10に示すように、バックル雄部材31は、２本のガイド脚部37，37と、２本のガイド脚部37，37の間に配設された係止脚部38と、ベルト32が取り付けられると共にガイド脚部37，37及び係止脚部38が固着されるベルト取付部43と、を有している。
【００３８】
係止脚部38は、上壁部60と左右側壁部61，61とを少なくとも有して先端側へ開口した形状であり、具体的に述べると、係止脚部38は、下方（裏側）に開口の凹溝部39を有し、凹溝部39に下方（裏側）に突出状に係止爪部40が設けられている。即ち、係止爪部40は、係止脚部38の内部に隠れているため、係止爪部40の破損を防止することができる。
【００３９】
バックル雌部材30は、バックル雄部材31のガイド脚部37，37が差し込まれるガイド筒部41，41と、バックル雄部材31の係止脚部38の凹溝部39内部に嵌め込まれる弾性変形係止部42と、弾性変形係止部42の一端とガイド筒部41，41とが固着される基板部44と、を有している。
【００４０】
弾性変形係止部42の他端側には、係止脚部38の係止爪部40に係脱する係止窪部45と、弾性変形係止部42を上下方向に（弯曲状に）揺動させる押圧部46と、が設けられている。また、基板部44には、（図８参照の）軸部材36が挿通される孔部47が貫設されている。
【００４１】
次に、バックル雄部材31のバックル雌部材30への係止を説明すると、図10に示すように、バックル雄部材31のガイド脚部37，37を、バックル雌部材30のガイド筒部41，41に差し込んでいくと共に、バックル雄部材31の係止脚部38を、バックル雌部材30の弾性変形係止部42に嵌め込んでいくと、図11（イ）に示すように、バックル雄部材31の係止爪部40が、バックル雌部材30の弾性変形係止部42を下方へ押圧して、弾性変形係止部42を下方へ揺動させ、図11（ロ）に示すように、係止爪部40が係止窪部45に嵌合することで、バックル雄部材31がバックル雌部材30に係合する。なお、バックル雄部材31のバックル雌部材30からの離脱を説明すると、図11（ハ）に示すように、押圧部46を下方へ押圧して弾性変形係止部42を下方へ揺動させながら、バックル雄部材31を引き抜くことで、バックル雄部材31をバックル雌部材30から離脱させることができる。
【００４２】
次に、バックル雌部材30のパット部25への取付方法を、脛部21において、説明すると、まず、図12に示すように、バックル雌部材30が取り付けられる取付域Ｚを平坦に形成した基板表皮34を成形する共に、図13に示すように、バックル逃げ用切欠部48が設けられた突隆部２を有する後付表皮35を成形する。
【００４３】
そして、図８に示すように、バックル雌部材30を、基板表皮34の裏面壁部33（取付域Ｚ）に、軸部材36にて枢結した後、後付表皮35を、その突隆部２にてバックル雌部材30を表面側から被覆するように、基板表皮34に載置し、その後、後付表皮35・基板表皮34・発泡体11・裏生地10をミシン糸９にて一体に縫製して、バックル雌部材30をパット部25へ取り付ける。
【００４４】
なお、図８と図13に示すように、後付表皮35の突隆部２（表面壁部14）の、バックル雌部材30の押圧部46に対向する部位に、弾性変形可能な薄肉の小山部49を設け、外部から小山部49を押圧することで、押圧部46の押圧が可能となる。また、後付表皮35の切欠部48から、バックル雄部材31のバックル雌部材30への差し込みが可能となると共に、その切欠部48により、バックル雌部材30の揺動が干渉されない。
【００４５】
なお、図示省略するが、バックル雌部材30を、別の（ポリアセタール等の）蓋部材にて、被覆するようにしてもよい。
【００４６】
次に、図14に、バックル雌部材30のパット部25への他の取付状態を示し、バックル雌部材30を後付表皮35に軸部材36にて枢結した後、基板表皮34の裏側からバックル雌部材30を突隆部２内部に配設し、後付表皮35を基板表皮34の裏面側にミシン糸９にて縫製して、バックル雌部材30をパット部25へ取り付ける。
【００４７】
なお、基板表皮34の突隆部２（表面壁部14）の、バックル雌部材30の押圧部46に対向する部位に、操作孔部50を貫設し、外部から押圧部46の押圧が可能となる。また、基板表皮34の突隆部２にバックル逃げ用切欠部48が設けられている。
【００４８】
次に、図15に、バックル雌部材30及びバックル雄部材31の他の実施の形態を示し、図10と比較すると明らかな如く次の構成が相違する。即ち、図10では、係止爪部40と係止窪部45とが上下方向（垂直方向）にて係脱するのに対し、図15では、係止爪部40と係止窪部45とが左右方向（水平方向）にて係脱するように構成されている。具体的に述べると、係止爪部40は、係止脚部38の凹溝部39に左右側方に突出状に設けられ、係止窪部45は、弾性変形係止部42に左右側方に凹状に形成され、押圧部46は、弾性変形係止部42を左右方向に（弯曲状に）揺動させるように構成されている。また、弾性変形係止部42の両端部は、固定されている。
【００４９】
そして、バックル雄部材31のバックル雌部材30への係止を説明すると、図16（イ）に示すように、バックル雄部材31のガイド脚部37，37を、バックル雌部材30のガイド筒部41，41に差し込んでいくと共に、バックル雄部材31の係止脚部38を、バックル雌部材30の弾性変形係止部42に嵌め込んでいくと、バックル雄部材31の係止爪部40が、バックル雌部材30の弾性変形係止部42を側方へ押圧して、弾性変形係止部42を側方へ揺動させ、図16（ロ）に示すように、係止爪部40が係止窪部45に嵌合することで、バックル雄部材31がバックル雌部材30に係合する。他方、図16（ハ）に示すように、押圧部46を側方へ押圧して弾性変形係止部42を側方へ揺動させながら、バックル雄部材31を引き抜くことで、バックル雄部材31をバックル雌部材30から離脱させることができる。
【００５０】
そして、図15に示すバックル雌部材30は、図17に示す回転用カバー部材52にて補強用に被覆される。即ち、図17と図18に示すように、回転用カバー部材52は、筒体であり、バックル雌部材30を内部へ挿入するための開口部55と、バックル雌部材30の位置決め突部54が嵌合される位置決め孔部53と、バックル雌部材30の押圧部46が露出する切欠部56と、軸部材36（図８参照）が挿通するための孔部47と、が形成されている。
【００５１】
次に、バックル雌部材30を内装した回転用カバー部材52のパット部25への取付方法を説明すると、まず、図12に示すように、バックル雌部材30が取り付けられる取付域Ｚを平坦に形成した基板表皮34を成形する共に、図19に示すように、バックル逃げ用切欠部48が設けられた突隆部２を有する後付表皮35を成形する。
【００５２】
そして、図20に示すように、バックル雌部材30を内装した回転用カバー部材52を、基板表皮34に、軸部材36にて枢結した後、後付表皮35を、その突隆部２にて回転用カバー部材52を表面側から被覆するように、基板表皮34に載置し、その後、後付表皮35・基板表皮34・発泡体11・裏生地10をミシン糸９にて一体に縫製して、回転用カバー部材52をパット部25へ取り付ける。
【００５３】
また、図15に示すバックル雌部材30は、上記回転用カバー部材52に代わって、図21に示す固定用カバー部材57にて被覆するようにしてもよい。即ち、図21と図22に示すように、固定用カバー部材57は、袋状であり、バックル雌部材30を内部へ挿入するための開口部55と、バックル雌部材30の位置決め突部54が嵌合される位置決め孔部53と、バックル雌部材30の押圧部46が露出する切欠部56と、が形成されている。
【００５４】
そして、バックル雌部材30を内装した固定用カバー部材57のパット部25への取付方法を説明すると、まず、図12に示すように、バックル雌部材30が取り付けられる取付域Ｚを平坦に形成した基板表皮34を成形する共に、図23に示すように、バックル逃げ用切欠部48が設けられた突隆部２を有する後付表皮35を成形する。なお、後付表皮35の切欠部48は、固定用カバー部材57（バックル雌部材30）が揺動しないため、バックル雄部材31を差し込むだけの大きさであればよい。
【００５５】
そして、図24に示すように、バックル雌部材30を内装した固定用カバー部材57を、基板表皮34に、ミシン糸９にて縫製した後、後付表皮35を、その突隆部２にて固定用カバー部材57を表面側から被覆するように、基板表皮34に載置し、その後、後付表皮35・基板表皮34・発泡体11・裏生地10をミシン糸９にて一体に縫製して、固定用カバー部材57をパット部25へ取り付ける。
【００５６】
なお、図25に示すように、基板表皮34に窓部58を貫設して、固定用カバー部材57を、基板表皮34の裏面側から窓部58に挿通して、基板表皮34にミシン糸９にて縫製して取り付けてもよい。
【００５７】
なお、図26に、バックル雌部材30をパット部25に固定状に取り付けた場合を示し、補助膝部23のバックル雌部材30は、バックル雄部材31の差込方向が水平方向となるように配設されている。膝部22のバックル雌部材30は、バックル雄部材31の差込方向が水平に対して下傾の角度α（20°〜60°）方向となるように配設されている。脛部21の上部のバックル雌部材30は、バックル雄部材31の差込方向が水平に対して上傾の角度β（20°〜60°）方向となるように配設され、脛部21の下部のバックル雌部材30は、バックル雄部材31の差込方向が水平方向となるように配設されている。従って、バックル雌部材30とバックル雄部材31を係止したときに、バックル雌部材30及びバックル雄部材31等に無理な曲げ力が働かず破損し難くなる。
【００５８】
次に、図27にバックル雌部材30の別の実施の形態を示し、図15と比較すると明らかな如く次の構成が相違する。即ち、図15におけるバックル雌部材30は、弾性変形係止部42の両端が固着されている方向と平行な方向へ押圧することで弯曲変形させるのに対して、図27におけるバックル雌部材30は、弾性変形係止部42の両端が固着されている方向へ押圧することで弯曲変形させるように構成されているため、弾性変形係止部42の両端の固着部位への弯曲変形による負担を軽減させることができる。
【００５９】
次に、図28にバックル雌部材30のさらに他の実施の形態を示し、図27と比較すると明らかな如く次の構成が相違する。即ち、図27におけるバックル雌部材30は、弾性変形係止部42の両端が固着されているのに対して、図28におけるバックル雌部材30は、弾性変形係止部42の係止窪部45側の一端が自由端となっているため、弾性変形係止部42の弯曲変形を容易に行うことができる。
【００６０】
次に、図29に示すように、ベルト32（図１参照）をレッグガード本体に取り付けると共にベルト32の長さを調整可能とするベルト取付部材29の（少なくとも）一部を、後付表皮35にて、被覆している。
【００６１】
また、図30に示すように、ベルト取付部材29を、基板表皮34に軸部材36にて枢結すると共に、後付表皮35にて被覆してもよく、ベルト取付部材29を、確実に保護する共に脚の動きに追従して揺動可能とすることができる。
【００６２】
なお、図示省略するが、表皮１の表面（即ち、突隆部２の表面壁部14）を、予め、弯曲面状、又は、凹凸模様面、若しくは、勾配面として、成形してもよく、また、表皮１の表面を、予め、革皺模様として、成形してもよい。要するに、射出成形用金型に、上記形状・模様を形成しておくことで、表皮１に上記形状・模様を容易に形成することができる。
【００６３】
また、（図１参照の）足甲部20・膝部22・補助膝部23の各パット部25…の内の少なくとも１つのパット部25を、上述した脛部21のパット部25と同様の構成とすればよい。
【００６４】
また、図１にて示したレッグガードのパット部25は、各部位（足甲部20、脛部21、膝部22、補助膝部23）毎に、分割されているが、各部位のパット部25を適宜一体状（一枚状）に成形してもよい。
【００６５】
なお、本発明は上述の実施の形態に限定されず、例えば、裏生地10を射出成形された熱可塑性エラストマーからなるようにしてもよく、また、バックル雄部材31の係止脚部38を筒状としてもよく、本発明の要旨を逸脱しない範囲で設計変更可能である。
【００６６】
【発明の効果】
本発明は上述の如く構成されるので、次に記載する効果を奏する。
【００６７】
（請求項１によれば、）表皮１の設計の自由度が高くなり、所望の表面形状・模様を容易に形成できる。また、表皮１の肉厚等を自由に変えることができ、衝撃吸収性（クッション性）が向上する。また、スライディング時のスパイクの引っ掛かり、又は、地面との摩擦等による表皮１の破損を防止することができる。さらに、突隆部２により、ボールやスパイクなどに対する耐衝撃性が一層向上する。
また、弯曲変形助長部４により、屈曲性（可撓性）が向上し、脚の側面を覆うことができ、脚を確実に保護することができる。また、突隆部２・溝底３・弯曲変形助長部４を、射出成形にて、一体に成形することができ、成形が簡単でかつ成形時間も短縮できる。
さらに、脚に沿って曲がり易くなるため、脚にフィット感をだすことができる。
【００６８】
（請求項２によれば、）表皮１の設計の自由度が高くなり、所望の表面形状・模様を容易に形成できる。また、表皮１の肉厚等を自由に変えることができ、衝撃吸収性（クッション性）が向上する。また、スライディング時のスパイクの引っ掛かり、又は、地面との摩擦等による表皮１の破損を防止することができる。さらに、突隆部２により、ボールやスパイクなどに対する耐衝撃性が一層向上する。
また、弯曲変形助長部４により、屈曲性（可撓性）が向上し、脚の側面を覆うことができ、脚を確実に保護することができる。また、突隆部２・溝底３・弯曲変形助長部４を、射出成形にて、一体に成形することができ、成形が簡単でかつ成形時間も短縮できる。
また、脚に沿って曲がり易くなるため、脚にフィット感をだすことができる。
【００６９】
さらに、ミシン糸９，９にて確実に縫製することができて丈夫で耐久性に優れたものとなり、かつ、円滑に全体を弯曲変形できる。
【００７０】
（請求項３によれば、）表皮１の設計の自由度が高くなり、所望の表面形状・模様を容易に形成できる。また、表皮１の肉厚等を自由に変えることができ、衝撃吸収性（クッション性）が向上する。また、スライディング時のスパイクの引っ掛かり、又は、地面との摩擦等による表皮１の破損を防止することができる。さらに、突隆部２により、ボールやスパイクなどに対する耐衝撃性が一層向上する。
さらに、レッグガードの脚への装着時に、バックル雌部材30及びバックル雄部材31が脚に当接することがなく違和感なく使用できる。また、バックル雌部材30及びバックル雄部材31へのボール又は滑り込んでくる走者のスパイク等の接触を防止してバックル雌部材30及びバックル雄部材31の破損を防止することができる。
（請求項４によれば、）パット部25側でバックル雌部材30の向きが自由に変わるため、脚へ巻き付けているベルト32の違和感がなく、また、バックル雌部材30及びバックル雄部材31等の部品に無理な曲げ力が働かず破損し難くなる。
【００７１】
（請求項５によれば、）係止爪部40の破損を確実に防止することができる。
（請求項６によれば、）脚にフィット感のある表皮１を容易にかつ確実に成形できる。
【００７２】
（請求項７によれば、）金型に表面壁部14の表面形状・模様を形成することで、容易に大量生産も可能である。そして、従来のレッグガードでは期待しがたかった各種のデザインのものも容易に製作可能となる。
（請求項８によれば、）表皮１の表面を本革又は合成（人工）皮革のように見せて、高級感を出し得る。
【図面の簡単な説明】
【図１】本発明の実施の一形態を示す正面図である。
【図２】図１のＡ−Ａ断面図である。
【図３】パット部の他の実施の形態を示す断面図である。
【図４】本発明の他の実施の形態を示す横断面図である。
【図５】本発明の別の実施の形態を示す横断面図である。
【図６】本発明のさらに他の実施の形態を示す横断面図である。
【図７】要部拡大断面作用説明図である。
【図８】バックル雌部材の取付状態を示す拡大断面図である。
【図９】要部正面作用説明図である。
【図１０】バックル雄雌部材を示す斜視図である。
【図１１】要部断面作用説明図である。
【図１２】要部拡大斜視図である。
【図１３】要部斜視図である。
【図１４】取付状態の他の実施の形態を示す断面図である。
【図１５】バックル雄雌部材の他の実施の形態を示す斜視図である。
【図１６】要部平面作用説明図である。
【図１７】回転用カバー部材を示す斜視図である。
【図１８】平面図である。
【図１９】要部斜視図である。
【図２０】取付状態の別の実施の形態を示す断面図である。
【図２１】固定用カバー部材を示す斜視図である。
【図２２】平面図である。
【図２３】要部斜視図である。
【図２４】取付状態のさらに他の実施の形態を示す断面図である。
【図２５】取付状態のさらに別の実施の形態を示す断面図である。
【図２６】バックル雌部材の配設方向を示す正面図である。
【図２７】バックル雄雌部材の別の実施の形態を示す斜視図である。
【図２８】バックル雄雌部材のさらに他の実施の形態を示す斜視図である。
【図２９】ベルト取付部材の取付状態を示す斜視図である。
【図３０】ベルト取付部材の他の取付状態を示す断面図である。
【符号の説明】
１  表皮
２  突隆部
３  溝底
４  弯曲変形助長部
９  ミシン糸
10  裏生地
14  表面壁部
25  パット部
30  バックル雌部材
31  バックル雄部材
38  係止脚部
40  係止爪部
60  上壁部
61  側壁部
Ｌ  輪郭線
【図１】
0003660632.tif 000002
【図２】
0003660632.tif 000003
【図３】
0003660632.tif 000004
【図４】
0003660632.tif 000005
【図５】
0003660632.tif 000006
【図６】
0003660632.tif 000007
【図７】
0003660632.tif 000008
【図８】
0003660632.tif 000009
【図９】
0003660632.tif 000010
【図１０】
0003660632.tif 000011
【図１１】
0003660632.tif 000012
【図１２】
0003660632.tif 000013
【図１３】
0003660632.tif 000014
【図１４】
0003660632.tif 000015
【図１５】
0003660632.tif 000016
【図１６】
0003660632.tif 000017
【図１７】
0003660632.tif 000018
【図１８】
0003660632.tif 000019
【図１９】
0003660632.tif 000020
【図２０】
0003660632.tif 000021
【図２１】
0003660632.tif 000022
【図２２】
0003660632.tif 000023
【図２３】
0003660632.tif 000024
【図２４】
0003660632.tif 000025
【図２５】
0003660632.tif 000026
【図２６】
0003660632.tif 000027
【図２７】
0003660632.tif 000028
【図２８】
0003660632.tif 000029
【図２９】
0003660632.tif 000030
【図３０】
0003660632.tif 000031